【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
光学テープであって、
基板層を備え、前記基板層は、
前記光学テープの幅にわたって第１の方向に傾斜した平行な物理的グルーブの第１のセットと、
前記光学テープの前記幅にわたって前記第１の方向と異なる第２の方向に傾斜した平行な物理的グルーブの第２のセットとを含み、前記光学テープはさらに、
書換え可能な記録層と、
前記平行な物理的グルーブの第１および第２のセットと重なる部分においてマスクオフされる反射層とを備える、光学テープ。
【請求項２】
前記平行な物理的グルーブの第１のセットのサブセットが、前記光学テープの長さに沿って、前記平行な物理的グルーブの第２のセットのサブセットと交互になっている、請求項１に記載の光学テープ。
【請求項３】
前記平行な物理的グルーブの第２のセットの１つのサブセットによって離隔された前記平行な物理的グルーブの第１のセットの２つのサブセットが、前記光学テープにおいてサーボフレームを形成する、請求項２に記載の光学テープ。
【請求項４】
前記平行な物理的グルーブの第１のセットの前記２つのサブセット間の一定の離隔距離は、前記光学テープの速度を求めるために用いられる、請求項３に記載の光学テープ。
【請求項５】
前記平行な物理的グルーブの第１のセットの１つのサブセット上の横位置における第１の地点と前記平行な物理的グルーブの第２のセットの前記１つのサブセット上の前記横位置における第２の地点との間の距離は、前記横位置におけるデータトラックを求めるために用いられる、請求項３に記載の光学テープ。
【請求項６】
前記平行な物理的グルーブの第１および第２のセットの各サブセットは、複数の等間隔をおいて配置された平行な物理的グルーブを含む、請求項２に記載の光学テープ。
【請求項７】
光学テープであって、
基板層を備え、前記基板層は、
前記光学テープの幅にわたって第１の方向に傾斜した平行な物理的グルーブの第１のセットと、
前記光学テープの前記幅にわたって前記第１の方向と異なる第２の方向に傾斜した平行な物理的グルーブの第２のセットとを含み、
前記平行な物理的グルーブの第１および第２のセットの各サブセットは、複数の等間隔をおいて配置された平行な物理的グルーブを含み、
前記複数の等間隔をおいて配置された平行な物理的グルーブは、前記複数の等間隔をおいて配置された平行な物理的グルーブの各々の幅と等しい間隔で離隔され、
前記光学テープは、さらに書換え可能な記録層を備える、光学テープ。
【請求項８】
前記平行な物理的グルーブの第１および第２のセットの各グルーブの幅は１ミクロンである、請求項１から７のいずれか１項に記載の光学テープ。
【請求項９】
前記記録層は、一連の平行なデータトラックを含み、前記一連の平行なデータトラックにおいて隣接するデータトラックは、前記平行な物理的グルーブの第１および第２のセットによって離隔されていない、請求項１から８のいずれか１項に記載の光学テープ。
【請求項１０】
前記一連の平行なデータトラックは、前記光学テープの長さに沿って延びる、請求項９に記載の光学テープ。
【請求項１１】
前記書換え可能な記録層は、結晶状態と非結晶状態との間で変化する相変化材料を含む、請求項１から１０のいずれか１項に記載の光学テープ。
【請求項１２】
テープドライブであって、
光学ピックアップユニット（ＯＰＵ）を備え、前記ＯＰＵは、
光学テープに対して読出しまたは書込みを行なうように構成されたレーザを含み、前記光学テープは、
前記光学テープの幅にわたって第１の方向に傾斜した平行な物理的グルーブの第１のセットと、
前記光学テープの前記幅にわたって前記第１の方向と異なる第２の方向に傾斜した平行な物理的グルーブの第２のセットとを含み、前記ＯＰＵはさらに、
前記レーザのためのアクチュエータを備え、前記テープドライブはさらに、
前記ＯＰＵのためのコントローラを備え、前記コントローラは、
前記光学テープ上の前記ＯＰＵの横位置について、前記平行な物理的グルーブの第１のセットの平行な物理的グルーブの第１のサブセットと、前記平行な物理的グルーブの第２のセットの平行な物理的グルーブの第２のサブセットとの間の距離を、
前記横位置における前記平行な物理的グルーブの第１のサブセットの検出と前記平行な物理的グルーブの第２のサブセットの検出との間にわたる第１の時間間隔を求めることと、
前記第１のサブセットの検出と前記横位置における前記平行な物理的グルーブの第１のセットの平行な物理的グルーブの第３のサブセットの検出との間にわたる第２の時間間隔を求めることと、
前記第１の時間間隔と第２の時間間隔との比例を用いて、前記横位置における前記データトラックを識別することとによって、定期的に検出し、
前記距離に基づいて、前記横位置におけるデータトラックを識別し、および、
前記距離を用いて、前記レーザによる前記データトラックの読出しおよび書込みの間、前記ＯＰＵの前記横位置を維持するように構成されている、テープドライブ。
【請求項１３】
（ａ）前記平行な物理的グルーブの第１および第３のサブセットは、前記光学テープの前記平行な物理的グルーブの第２のサブセットによって離隔されており、
（ｂ）前記平行な物理的グルーブの第１、第２、および第３のサブセットは、前記光学テープにおいてサーボフレームを形成し、
（ｃ）前記コントローラはさらに、
前記光学テープにおける対象データトラックの対象横位置を求めるように、および、
前記距離に基づいて、前記ＯＰＵを前記横位置から前記対象横位置に移動させるために前記アクアチュエータに対して信号を生成するように構成されている、請求項１２に記載のテープドライブ。
【請求項１４】
テープドライブであって、
光学ピックアップユニット（ＯＰＵ）を備え、前記ＯＰＵは、
光学テープに対する読出しまたは書込みを行なうように構成されたレーザを含み、前記光学テープは、
前記光学テープの幅にわたって第１の方向に傾斜した平行な物理的グルーブの第１のセットと、
前記光学テープの前記幅にわたって前記第１の方向と異なる第２の方向に傾斜した平行な物理的グルーブの第２のセットとを含み、
前記平行な物理的グルーブの第１および第２のセットの各サブセットは、複数の等間隔をおいて配置された平行な物理的グルーブを含み、
前記複数の等間隔をおいて配置された平行な物理的グルーブは、前記複数の等間隔をおいて配置された平行な物理的グルーブの各々の幅に等しい間隔で離隔されており、前記ＯＰＵはさらに、
前記レーザのためのアクチュエータを含み、前記テープドライブはさらに、
前記ＯＰＵのためのコントローラを備え、前記コントローラは、
前記光学テープ上の前記ＯＰＵの横位置について、前記平行な物理的グルーブの第１のセットにおける平行な物理的グルーブの第１のサブセットと、前記平行な物理的グルーブの第２のセットにおける平行な物理的グルーブの第２のサブセットとの間の距離を定期的に検出し、
前記距離に基づいて、前記横位置におけるデータトラックを識別し、および、
前記距離を用いて、前記レーザによる前記データトラックの読出しおよび書込みの間、前記ＯＰＵの前記横位置を維持するように構成されている、テープドライブ。
【請求項１５】
方法であって、
テープドライブの光学ピックアップユニット（ＯＰＵ）によって生成された一連の読出しを受信することを備え、前記一連の読出しは、
前記光学テープの幅にわたって第１の方向に傾斜した平行な物理的グルーブの第１のセットと、
前記光学テープの前記幅にわたって前記第１の方向と異なる第２の方向に傾斜した平行な物理的グルーブの第２の方向のセットとから生成され、前記方法はさらに、
前記読出しを用いて、前記光学テープの横位置について、前記平行な物理的グルーブの第１のセットの平行な物理的グルーブの第１のサブセットと前記平行な物理的グルーブの第２のセットの平行な物理的グルーブの第２のサブセットとの間の距離を、
前記横位置における前記平行な物理的グルーブの第１のサブセットの検出と前記平行な物理的グルーブの第２のサブセットの検出との間にわたる第１の時間間隔を求めることと、
前記第１のサブセットの検出と前記横位置における前記平行な物理的グルーブの第１のセットの平行な物理的グルーブの第３のサブセットの検出との間にわたる第２の時間間隔を求めることと、
前記第１の時間間隔と第２の時間間隔との比例を用いて前記横位置における前記データトラックを識別することとによって、定期的に検出することを備え、前記方法はさらに、
前記距離に基づいて、前記横位置におけるデータトラックを識別することと、
前記距離を用いて、前記ＯＰＵによる前記データトラックの読出しおよび書込みの間、前記横位置を維持することとを備える、方法。
【請求項１６】
請求項１５に記載の方法をコンピュータに実行させるプログラム。